(57)【要約】【課題】座部への着座者が着座姿勢で使用するテーブル板を備えた家具において、テーブル板上に載置される携帯機器の使用時の作業効率の向上及び疲労軽減を図る。【解決手段】家具は、座部１への着座者が着座姿勢で使用するテーブル板５７を備えている。テーブル板５７の上面のうち、座部１への着座者から見て前方側の部位に、左右横長の凸条部材５８が配置されている。【選択図】図１
2019058530.tif 000002
【特許請求の範囲】
【請求項１】
座部への着座者が着座姿勢で使用するテーブル板を備えた家具において、
前記テーブル板の上面のうち、前記座部への着座者から見て前方側の部位に、左右横長の凸条部材が配置されている家具。
【請求項２】
前記座部と前記テーブル板とが連結されている請求項１に記載の家具。
【請求項３】
前記凸条部材の上面は、着座者側ほど下方に位置するように傾斜している請求項１又は２に記載の家具。
【請求項４】
前記凸条部材は、その上面のうち前方側の部位に形成された左右横長の頂上凸条部を備え、少なくとも前記頂上凸条部がエラストマーで形成されている請求項３に記載の家具。
【請求項５】
前記凸条部材は、エラストマーで形成されている請求項１から４のいずれか一項に記載の家具。
【請求項６】
前記凸条部材は、板状携帯機器の縁部を上方側から挿し込み可能な左右横長の溝状部を備えている請求項１から５のいずれか一項に記載の家具。
【請求項７】
前記溝状部の底面は、着座者側ほど上方に位置するように傾斜している請求項６に記載の家具。
【請求項８】
前記溝状部の底面に、左右横長の複数の凸状部が前後方向に配列されている請求項６又は７に記載の家具。
【発明の詳細な説明】
【技術分野】
【０００１】
本願発明は、座部への着座者が着座姿勢で使用するテーブル板を備えた家具に関するものである。
【背景技術】
【０００２】
近年、作業ツールとしてのノートパソコンやタブレット端末などの携帯機器の小型化が進み、外出先で仕事や学習などの作業する機会が増えている。また、携帯機器は持ち運び自在であるため、オフィスにおいて特定の席を持たずに、好きな席で仕事をするフリーアドレス方式が普及しつつある。
【０００３】
このような作業環境の変化から、外出先やオフィスでの作業場所としてテーブル付き椅子が提案されている（例えば特許文献１，２を参照。）。また、特許文献２には、作業に集中できる環境やリラックスできる環境を作るべく、座部の左右側方及び後方をパネルで囲んだセミクローズドタイプのテーブル付き椅子が開示されている。また、携帯機器を使用する作業場所として、ソファと組み合わせて使用されるサイドテーブルを用いることも可能である（例えば特許文献３参照。）。
【先行技術文献】
【特許文献】
【０００４】
【特許文献１】特開平１０−２１５９８０号公報
【特許文献２】特開２０１７−１３１５７２号公報
【特許文献３】特開２００４−１７４０８７号公報
【発明の概要】
【発明が解決しようとする課題】
【０００５】
しかし、特許文献１〜３では、テーブル板が水平に設けられているので、テーブル板上にノートパソコンが載置されるとキーボード部分は水平になる。キーボード部分が水平であると、着座者は、後傾姿勢（リラックス姿勢）のままではノートパソコンのキーボードを操作しづらく、特に手首に負担がかかり、疲労度が大きくなると共に作業効率が落ちる。そして、手首が疲れる（作業しにくい）ので、着座者は自然と体を起こして作業する傾向にある。また、テーブル板の上に置かれたタブレット端末の表示画面を見やすくするには、着座者は不自然な姿勢でタブレット端末を真上から覗き込む必要があるので疲労度が大きくなるなど、改善の余地があった。
【０００６】
本願発明は、このような現状を改善すべく成されたものであり、座部への着座者が着座姿勢で使用するテーブル板を備えた家具において、テーブル板上に載置された携帯機器の使用時における作業効率の向上及び疲労軽減を目的とするものである。
【課題を解決するための手段】
【０００７】
本願発明は、座部への着座者が着座姿勢で使用するテーブル板を備えた家具であって、前記テーブル板の上面のうち、前記座部への着座者から見て前方側の部位に、左右横長の凸条部材が配置されているものである。
【０００８】
本願発明において、前記座部と前記テーブル板とが連結されているようにしてもよい。このような態様は、例えば、座部と、その座部よりも高い位置に配置されたテーブル板とを備えたテーブル付き椅子で構成される。
【０００９】
なお、本願発明の家具は、座部とテーブル板とが連結されているものに限定されず、例えば、特許文献３のように、座部（椅子）とは分離しているサイドテーブル等、座部への着座者が着座姿勢で使用するテーブル板を備えた家具を含む。
【００１０】
本願発明において、前記凸条部材の上面は、着座者側ほど下方に位置するように傾斜しているようにしてもよい。
【００１１】
さらに、前記凸条部材は、その上面のうち前方側の部位に形成された左右横長の頂上凸条部を備え、少なくとも前記頂上凸条部がエラストマーで形成されているようにしてもよい。
【００１２】
また、前記凸条部材は、エラストマーで形成されているようにしてもよい。
【００１３】
また、本願発明において、前記凸条部材は、板状の携帯機器の縁部を上方側から挿し込み可能な左右横長の溝状部を備えているようにしてもよい。
【００１４】
さらに、前記溝状部の底面は、着座者側ほど上方に位置するように傾斜しているようにしてもよい。
【００１５】
また、前記溝状部の底面に、左右横長の複数の凸状部が前後方向に配列されているようにしてもよい。
【発明の効果】
【００１６】
本願発明の家具は、テーブル板の上面のうち座部への着座者から見て前方側の部位に、左右横長の凸条部材を備えているので、テーブル板上にノートパソコンやタブレット端末などの携帯機器が載置されるに当たって、当該携帯機器の背面のうち前方側の部位が上記凸条部材上に載置されることで、当該携帯機器を前高後低姿勢に傾斜配置できる。これにより、例えば、当該携帯機器がノートパソコンである場合には、着座者はキーボードを自然な手首の角度で操作しやすくなり、また、後傾姿勢のままでも自然な手首の角度で操作できるなど、作業効率が向上すると共に、疲労が軽減される。また、当該携帯機器がタブレット端末、スマートフォンなどの板状の携帯機器である場合には、着座者は、携帯機器の表示画面を真上から覗き込まなくても、比較的楽な姿勢で表示画面内の表示物を認識でき、疲労が軽減される。このように、本願発明の家具は、着座者が携帯機器を使用するときの作業効率向上及び疲労軽減を実現できる。
【図面の簡単な説明】
【００１７】
【図１】一実施形態を示す図であり、（Ａ）は平面図、（Ｂ）は正面図である。
【図２】同実施形態を示す図であり、（Ａ）は左側面図、（Ｂ）は右側面図である。
【図３】同実施形態を示す図であり、（Ａ）は前方斜視図、（Ｂ）は後方斜視図である。
【図４】同実施形態の分解斜視図である。
【図５】テーブル部、テーブル支持部及び連結部の分解斜視図である。
【図６】（Ａ）はテーブル部周辺を示す平面図、（Ｂ）は（Ａ）のＢ−Ｂ視断面図である。テーブル支持部及び連結部の分解斜視図である。
【図７】テーブル部の後方斜視図である。
【図８】同実施形態での凸条部材を示す図であり、（Ａ）は平面図、（Ｂ）は底面側から見た斜視図、（Ｃ）は側面図である。
【図９】図８（Ａ）のＩＸ−ＩＸ視断面図である。
【図１０】テーブル部を示す側面図であり、（Ａ）はテーブル部にノートパソコンを載せた状態、（Ｂ）はテーブル部に板状携帯機器を載せた状態を示す。
【発明を実施するための形態】
【００１８】
次に、本願発明の実施形態を図面に基づいて説明する。この実施形態は、本願発明の家具をテーブル付き椅子に適用したものである。また、本願では、方向を特定するため前後・左右の文言を使用するが、この前後・左右の方向は、座部に普通に腰掛けた人の向きを基準にしている。正面視は、着座した人と相対向した方向から見た状態である。
【００１９】
図１〜４に示すように、本実施形態の椅子は、座部１と背もたれ部２とを有する椅子部３と、椅子部３を支持する脚フレーム部４と、座部１の右側方で脚フレーム部４上に立設された肘掛け部５と、肘掛け部５に支持されたテーブル部６とを備えている。脚フレーム部４は、左右両側に鉛直姿勢の脚板７，８を備えている。左右の脚板７，８は、手前に向けて間隔が広がるように、平面視ハ字の形態に配置されている。
【００２０】
椅子部３及び肘掛け部５の左右側方及び後方を囲うように、左右のサイドパネル９，１０及びバックパネル１１が鉛直姿勢で設けられている。パネル９，１０，１１の上端部は、背もたれ部２よりも高い位置に設けられており、ここでは椅子部３への着座者の頭頂部よりも高い位置に設定されている。左右のサイドパネル９，１０は、手前に向けて間隔が広がるように、平面視ハ字の形態に配置されている。また、サイドパネル９，１０の外側面及び内側面は、例えば不織布で形成され、前後方向に延伸する複数の凸条部が上下方向に配列されて、凹凸状に形成されている。これにより、椅子部３への着座者に対する外部からの遮音性が向上されている。
【００２１】
左右のサイドパネル９，１０は、脚板７，８の上部と背もたれ部２の側部とに、例えば樹脂製クリップからなる複数の固定部材１２で固定されている。バックパネル１１は、背もたれ部２の側部と背面とに、ブラケット金具１３と係合部材１４ａ及び受け部材１４ｂとを介して固定されている。
【００２２】
パネル９，１０，１１の上部に、ルーフパネル１５，１６，１７が取り付けられている。ルーフパネル１５，１６，１７は、その下部が鉛直姿勢に配置され、その上部が上端部側ほど椅子内側に位置する傾斜姿勢に配置されるように、屈曲している。図１に示すように、ルーフパネル１５，１６，１７の上部は、平面視で椅子部３の周縁部に重なっている。これにより、着座者が感じる篭り感や、上方側からの遮音性及び遮蔽性が向上されている。
【００２３】
図４に示すように、左右のルーフパネル１５，１６は、その下端部の前後２箇所に突出部１８及び貫通孔１９を備えている。貫通孔１９に左右一対の挟持部材２０ａ，２０ｂが突出部１８を挟んでビス２１で固着される一方で、挟持部材２０ａ，２０ｂがパネル９，１０の上端部位を挟持することで、ルーフパネル１５，１６はパネル９，１０の上端部に取り付けられている。バックルーフパネル１７は、その下端部の左右２箇所に膨出部２２を備えている。ピン部材２３の一端側が膨出部２２内に挿入される一方、ピン部材２３の他端側がバックパネル１１の上端面に設けられた係合穴２４に挿入されることで、バックルーフパネル１７はバックパネル１１の上端部に取り付けられている。
【００２４】
また、この実施形態の椅子には、座部１の上面左寄り部位に設置されるサイドテーブル２５が設けられている。サイドテーブル２５は、板状の天板部２６と、天板部２６の下面に固着されたＬ型金具２７を備えている。Ｌ型金具２７の部位のうち、天板部２６の下面から下方へ向けて突出する鉛直部位２７ａは、天板部２６の左縁部に沿って配置されている。サイドテーブル２５は、鉛直部位２７ａが座部１と左サイドパネル１０との隙間に挿入されて、天板部２６が座部１の上面に載置されることで、座部１の上に着脱可能に取り付けられる。
【００２５】
肘掛け部５は、脚フレーム部４の右縁部前寄り部位の上に載置されている。肘掛け部５は、脚フレーム部４上に載置される略箱型の配線ボックス部２８と、配線ボックス部２８上に固着される板状のテーブル支持部２９を備えている。肘掛け部５は、座部１側に開口する空間３６をテーブル支持部２９の下方に備えており、スマートフォンやタブレット端末などの携帯機器や、カバン、書類、書物などを収容可能に構成されている。
【００２６】
配線ボックス部２８は例えば板金製であり、配線ボックス部２８には、空間３６に露出する電源コンセント３７が設けられている。電源コンセント３７は、前後方向に並ぶ４つのコンセントと、コンセント３８群よりも後方で左右方向に並ぶ２つの給電用ＵＳＢポートを備えている。配線ボックス部２８の上に、例えば繊維板製のテーブル支持部２９が固定されている。
【００２７】
図５〜７にも示すように、テーブル支持部２９は、配線ボックス部２８の上方を覆う平面視略長方形の固定天板部４２と、固定天板部４２の前端部左縁部位から左斜め前方向に突設された張出し部４３とを備えている。固定天板部４２は、肘掛けや物置台として利用可能である。
【００２８】
テーブル支持部２９の固定天板部４２の前寄り部位及び張出し部４３の上方に、テーブル部６が配置されている。テーブル部６は、固定天板部４２の前寄り部位に連結部４７を介して水平回動可能に連結されている。
【００２９】
テーブル部６は、例えば繊維板からなる角丸長方形のテーブル板５７と、テーブル板５７の上面前寄り部位に配置された左右横長の凸条部材５８と、テーブル板５７の右前角部近傍に配置されたドリンクホルダ５９を備えている。テーブル板５７の下面の右縁部近傍位置に連結部４７が取り付けられており、テーブル板５７は左縁部を回動自由端として水平回動する。
【００３０】
テーブル板５７には、凸条部材５８を取り付けるための第１〜３の３つの貫通孔６０ａ，６０ｂ，６０ｃと、ドリンクホルダ５９を取り付けるための貫通孔６１が形成されている。凸条部材５８は、その下部から下方側へ突出する第１〜３の３つの突起部６２ａ，６２ｂ，６２ｃが上方側から貫通孔６０ａ，６０ｂ，６０ｃに挿通されることで、テーブル板５７に取り付けられる。また、ドリンクホルダ５９は、有底円筒形で上端部に外向き鍔部を有し、円筒部が上方側から貫通孔６１に挿通されて、テーブル板５７に取り付けられる。
【００３１】
図５に示すように、この実施形態では、連結部４７は、ブラケット５１とベースプレート５４を相対回動可能に保持するスイベルトルクヒンジで構成されている。連結部４７は、摩擦力を利用することで、ブラケット５１をベースプレート５４に対して任意の回転角で停止可能に構成されている。
【００３２】
固定天板部４２の上面とテーブル板５７の下面には、連結部４７の取付位置に、凹部が形成されている。ベースプレート５４は、３本のビス６５でテーブル板５７の下面に固定されている。ブラケット５１は、固定天板部４２に設けられた３箇所のボルト挿通孔６６に下方側から挿通される３本のボルト６７でテーブル板５７に固定されている。
【００３３】
図１，２，６に示すように、テーブル板５７の上面は水平に配置されている。この実施形態では、テーブル板５７は水平回動するので、テーブル板５７の上面は常に水平に保たれ、テーブル板５７への載置物（例えば携帯機器や、ノートパソコン、書類、書籍、筆記具、時計など）が落下しにくいように構成されている。
【００３４】
図５〜７に示すように、張出し部４３とテーブル板５７の間に前後一対の規制部材８２が配置されている。この実施形態では、規制部材８２は、張出し部４３の上面に形成された規制部材取付け穴８３に嵌入される樹脂製のブッシュ８２ａと、ブッシュ８２ａの上端に取り付けられる樹脂製のキャップ８２ｂを備えている。規制部材８２（キャップ８２ｂ）の上端は、テーブル板５７の下面に当接又は近接する位置に配置されており、規制部材８２は、テーブル板５７の下方側への移動を制限する。なお、この実施形態では、キャップ８２ｂの上面は、丸みを帯びた形状を有し、テーブル板５７の下面と点接触することで、テーブル板５７の回動時の摺動性が損なわれないようにしている。
【００３５】
例えば、テーブル板５７の上に重たい荷物が載置されたり、使用者がテーブル板５７に手をついて体重をかけたりした場合など、テーブル部６に下方側へ向かう荷重が加わったときに、規制部材８２は、テーブル板５７の下方側への移動を制限と共に、当該荷重に起因する負荷を張出し部４３側へ分散する。これにより、連結部４７の周辺にかかる負荷が低減されるので、連結部４７周辺の破損を防止でき、安全性及び耐久性が向上する。
【００３６】
また、図５，６に示すように、テーブル支持部２９の張出し部４３には、テーブル部６の回動軸（連結部４７の回動軸）を中心とする円弧状溝７２と幅広円弧状溝７３が形成されている。円弧状溝７２は、張出し部４３の上面側に形成されている。幅広円弧状溝７３は、円弧状溝７２に沿って張出し部４３の下面側に形成されており、かつ円弧状溝７２と上下方向で繋がっている。張出し部４３上面に配置される前後一対の規制部材８２は、円弧状溝７２，７３を挟んで配置されている。
【００３７】
図５に示すように、円弧状溝７２，７３には、スペーサ管７４及びボルト７５が挿通される。ボルト７５は、ワッシャ７６を介してスペーサ管７４に挿通され、スペーサ管７４と共に円弧状溝７２，７３に挿通されて、テーブル板５７の下面に設けられた雌ねじ穴７７に固定される。スペーサ管７４、ボルト７５及びワッシャ７６は、テーブル板５７の下面に突設された突出部材７８を構成する。
【００３８】
張出し部４３の下面には、幅広円弧状溝７３の形成位置を含む領域に略長方形のカバー収容凹部７９が形成されている。カバー収容凹部７９に、板状のカバー部材８０が２本のビス８１で取り付けられる。カバー部材８０の下面と張出し部４３の下面は、ほぼ面一になっており、着座者の負傷や衣服の損傷が防止されている。
【００３９】
幅広円弧状溝７３の溝幅は、ワッシャ７６の外径よりも大きい寸法に設定されており、幅広円弧状溝７３内にボルト７５の頭部及びワッシャ７６が収容される。一方、円弧状溝７２の溝幅は、ワッシャ７６の外径よりも小さい寸法に設定されている。
【００４０】
例えば着座者の膝や太ももがテーブル板５７の下面に当たる等して、テーブル板５７に上向きの負荷がかかったときに、ワッシャ７６が幅広円弧状溝７３の上部に接触して抜け防止部として機能することで、テーブル板５７の上方側への変位が規制される。これにより、テーブル板５７の回動自由端側が張出し部４３に対して大きく持ち上げられる現象が防止され、連結部４７と固定天板部４２及びテーブル板５７との連結箇所や、連結部４７の破損を防止できる。
【００４１】
このように、この実施形態の椅子は、テーブル板５７の下方側への移動を規制する規制部材８２と、テーブル板５７の上方側への移動を規制する円弧状溝７２，７３及び突出部材７８を備えている。したがって、テーブル板５７への上下いずれの方向の荷重に対しても連結部４７周辺の破損を防止できる。
【００４２】
また、円弧状溝７２及び突出部材７８は、テーブル板５７の回動可能範囲を制限する。この実施形態では、図６（Ａ）に示すように、テーブル板５７は、着座者側（背もたれ部２側）の縁部が左右方向とおおむね平行になる後方限界位置（実線参照）と、当該縁部が左右方向と約４５°の角度をなす前方限界位置（二点鎖線参照）との間の範囲内で水平回動可能である。なお、テーブル板５７の回動可能範囲や前方限界位置は、椅子部３に人が出入りすることが可能な範囲で適宜設定可能である。
【００４３】
図６（Ａ）に示すように、テーブル板５７が後方限界位置（実線参照）から前向き回動されると、テーブル板５７の右前角部は外向き（右向き）回動する。この実施形態では、前方限界位置（二点鎖線参照）は、テーブル板５７の右前角部が右サイドパネル９に接触しない位置に設定されており、右サイドパネル９の損傷や脱落が防止されている。
【００４４】
次に、図７〜１０も参照しながら、凸条部材５８の構成及び機能について説明する。凸条部材５８は、左右横長の形状を有する。この実施形態では、凸条部材５８は、弾力性を有する熱可逆性エラストマーで形成されている。なお、凸条部材５８の材料は、熱硬化性エラストマーであってもよいし、例えばプラスチックなどの他の材料であってもよい。
【００４５】
凸条部材５８の上面８５，８６は、座部１への着座者側ほど下方に位置するように傾斜している。後方側上面８６と水平がなす角度は、前方側上面８５と水平がなす角度よりも大きな角度に設定されている。また、凸条部材５８は、前方側上面８５上に形成された左右横長の頂上凸条部８７を備えている。
【００４６】
図７〜９に示すように、凸条部材５８は、板状携帯機器６３の縁部を上方側から挿し込み可能な左右横長の溝状部６４を備えている。板状携帯機器６３は、その一縁部が溝状部６４に挿し込まれることで、凸条部材５８に起立姿勢で自立保持される。
【００４７】
図９に示すように、溝状部６４の底面６４ａは、着座者側ほど上方に位置するように前低後高姿勢に傾斜している。溝状部６４の底面には、左右横長の複数の溝内凸状部８８が前後方向に配列されている。この実施形態では６本の溝内凸状部８８が設けられている。
【００４８】
溝状部６４の前壁面６４ｂは、着座者側ほど下方に位置するように前高後低姿勢に傾斜している。また、溝状部６４の後壁面６４ｃは、鉛直方向におおむね沿って設けられている。つまり、溝状部６４は、開口部の前後幅寸法が底面６４ａの前後幅寸法に比べて大きくなっており、溝状部６４に板状携帯機器６３の縁部を挿し込みやすく構成されている。
【００４９】
図８，９に示すように、凸条部材５８の内部は肉抜きされている。溝状部６４の溝前側壁部９１、溝左側壁部９５及び溝右側壁部９７は、凸条部材５８の前側壁部９３、左側壁部９６及び右側壁部９８とは間隔をあけて配置されている。凸条部材５８の後側壁部９４は、溝状部６４の後側壁部を兼ねている。
【００５０】
凸条部材５８の内部には、前後方向に沿って設けられた複数の前後方向リブ８９と、溝状部６４の下方で左右方向に沿って設けられた複数の左右方向リブ９０が形成されている。前後方向リブ８９は、側方視略Ｌ字形で、溝状部６４の溝前側壁部９１及び溝底壁部９２と凸条部材５８の前側壁部９３及び後側壁部９４とを連結している。
【００５１】
溝底壁部９２には第１〜３の突起部６２ａ，６２ｂ，６２ｃが下方側へ向かって突設されている。左右方向リブ９０は、溝底壁部９２に下方側へ向かって突設されて、左右方向で隣り合う前後方向リブ８９同士、又は前後方向リブ８９と第１〜３の突起部６２ａ，６２ｂ，６２ｃと連結している。
【００５２】
また、突起部６２ａ，６２ｂ，６２ｃは、略円筒形であり、その外周面に放射状に突設された複数のリブ９２ａ，９２ｂ，９２ｃを備えている。凸条部材５８は、テーブル板５７の前寄り部位に設けられた第１〜３の貫通孔６０ａ，６０ｂ，６０ｃに突起部６２ａ，６２ｂ，６２ｃが上方側から圧入されることで、テーブル板５７上面の前寄り部位に左右横長に取り付けられる。
【００５３】
図１０（Ａ）に示すように、携帯機器の一例としてのノートパソコン９９をテーブル板５７上に載置する際に、ノートパソコン９９の背面を凸条部材５８上に載置することで、テーブル板５７上にノートパソコン９９のキーボード部９９ａを前高後低姿勢に傾斜配置できる。これにより、着座者は、ノートパソコン９９のキーボードを操作しやすくなり、作業効率が向上すると共に、疲労が軽減される。
【００５４】
また、図１０（Ｂ）に示すように、板状携帯機器６３をテーブル板５７上に載置する際に、板状携帯機器６３の背面を凸条部材５８上に載置することで、テーブル板５７上に板状携帯機器６３を前高後低姿勢に傾斜配置できる。これにより、着座者は、板状携帯機器６３の表示画面を真上から覗き込まなくても、比較的楽な姿勢で表示画面内の表示物を認識でき、疲労が軽減される。
【００５５】
図７〜１０に示すように、凸条部材５８の上面８５，８６は、着座者側ほど下方に位置するように前高後低姿勢に傾斜しているので、図１０に示すように、凸条部材５８の上面側の前寄り部位（この実施形態では頂上凸条部８７）で、ノートパソコン９９や板状携帯機器６３の背面が支持される。これにより、テーブル板５７上でノートパソコン９９や板状携帯機器６３をなるべく前方側に配置できるので、テーブル板５７上面における着座者の手前側のスペースを大きくできる（図１０（Ａ），（Ｂ）の二点鎖線参照）など、利便性が向上する。
【００５６】
なお、凸条部材５８において頂上凸条部８７が形成されていない変形例においては、凸条部材５８の上面８５，８６、特に後方側上面８６が着座者側ほど下方に位置するように傾斜しているので、携帯機器の背面は、凸条部材５８の上面側の前寄り部位（例えば前方側上面８５）で支持される。このように、頂上凸条部８７が形成されていない構成でも、凸条部材５８の上面側の前寄り部位で携帯機器の背面を支持でき、テーブル板５７上面における着座者の手前側のスペースを大きくできるなど、利便性が向上する。
【００５７】
また、凸条部材５８は、テーブル板５７の上面に突設されているので、異物が衝突する可能性があるが、この実施形態では凸条部材５８がエラストマーで形成されているので、異物の衝突等による凸条部材５８の破損を低減できる。
【００５８】
また、凸条部材５８は、前高後低姿勢の上面８５，８６のうち前方側の部位（この実施形態では前方側上面８５の上）に形成された左右横長の頂上凸条部８７を備えている。凸条部材５８上に載置されるノートパソコン９９や板状携帯機器６３などの携帯機器の背面は頂上凸条部８７に接触する。そして、頂上凸条部８７はエラストマーで形成されているので、頂上凸条部８７と携帯機器との接触部に生じる摩擦力でテーブル板５７上での携帯機器の移動が阻まれ、意図しない携帯機器の移動や落下等を防止できる。
【００５９】
なお、この実施形態では、凸条部材５８全体がエラストマーで形成されているが、凸条部材５８の構成部位のうち少なくとも頂上凸条部８７がエラストマーで形成されているようにすれば、頂上凸条部８７に携帯機器の背面を接触させることで、意図しない携帯機器の移動や落下等を防止できる。また、凸条部材５８において頂上凸条部８７が形成されていない変形例においても、凸条部材５８がエラストマーで形成されていれば、凸条部材５８の前方側上面８５と携帯機器の背面との接触部に生じる摩擦力で携帯機器を保持しやすくなる。
【００６０】
また、図７，９に示すように、凸条部材５８は、板状携帯機器６３の縁部を上方側から挿し込み可能な左右横長の溝状部６４を備えているので、板状携帯機器６３を起立姿勢で自立保持できる。これにより、着座者は、背もたれ部２にもたれた状態で板状携帯機器６３の表示画面を視認したり、板状携帯機器６３の表示画面を見ながらテーブル板５７で作業したりでき、利便性が向上する。なお、図７，９に示すように、板状携帯機器６３が前高後低姿勢の起立姿勢で凸条部材５８に保持される場合、板状携帯機器６３の背面は、溝状部６４の前壁面６４ｂの上端部６４ｄに当接及び支持される。
【００６１】
また、図９に示すように、溝状部６４の底面６４ａは、着座者側ほど上方に位置するように傾斜しているので、前高後低姿勢で起立している板状携帯機器６３の縁部が溝状部６４内において着座者側（後方側）へ移動しにくくなっている。これにより、着座者は、板状携帯機器６３を凸条部材５８に前高後低姿勢で自立保持させるに当たって、好みの任意の角度で板状携帯機器６３を自立させやすくなり、利便性が向上する。
【００６２】
また、溝状部６４の底面６４ａに、左右横長の複数の溝内凸状部８８が前後方向に配列されているので、溝状部６４内において板状携帯機器６３の縁部が前後方向で移動しにくくなっている。これにより、着座者は、板状携帯機器６３を凸条部材５８に自立保持させるに当たって、好みの任意の角度で板状携帯機器６３を自立させやすくなり、利便性が向上する。
【００６３】
以上、本願発明の実施形態を説明したが、本願発明は他にも様々に具体化できる。例えば、本願発明の椅子は、パネル９，１０，１１を有するセミクローズドタイプのものに限定されない。すなわち、本願発明の椅子は、座部とテーブル板を備える椅子に適用可能である。
【００６４】
また、テーブル板は、上記実施形態では水平回動可能に構成されているが、テーブル板の回動方向は特に限定されず、また、回動不能な固定式のものであってもよい。また、テーブル板の上面は、例えば着座者側から見て前方側の縁部が手前側の縁部に対して高い位置に配置されているなど、水平に対して傾斜していてもよい。
【符号の説明】
【００６５】
１  座部
５７  テーブル板
５８  凸条部材
６３  板状携帯機器
６４  溝状部
６４ａ  溝状部の底面
８５  前方側上面（傾斜面）
８６  後方側上面（傾斜面）
８７  頂上凸条部
８８  溝内凸状部
【図１】
2019058530.tif 000003
【図２】
2019058530.tif 000004
【図３】
2019058530.tif 000005
【図４】
2019058530.tif 000006
【図５】
2019058530.tif 000007
【図６】
2019058530.tif 000008
【図７】
2019058530.tif 000009
【図８】
2019058530.tif 000010
【図９】
2019058530.tif 000011
【図１０】
2019058530.tif 000012